(57)【要約】      （修正有）【課題】暖房運転を継続して暖房効果の快適性を保持しつつ、除霜能力も損なわないようにした空気調和機を提供する。【解決手段】圧縮機１０の吐出管１３を２つに分岐してそれぞれに独立した２つの四方弁１１を連結し、かつ室外熱交換器１４と膨張弁１６と室内熱交換器１５とをそれぞれ２つずつ併設し、前記２つの四方弁１１毎に２つの冷凍サイクルを構築し、前記膨張弁と室内熱交換器間の冷凍サイクル毎の配管に流れる冷媒を熱交換する２重管熱交換器を備え、除霜時にいずれか一方の冷凍サイクルを暖房運転しつつ、他方の四方弁を切換えて他方の冷凍サイクルを所定時間だけ除霜運転し、所定時間経過後、他方の冷凍サイクルを暖房運転しつつ、一方の冷凍サイクルを所定時間だけ除霜運転する。【選択図】図１
2014190641.tif 000002
【特許請求の範囲】
【請求項１】
圧縮機の吐出管を２つに分岐してそれぞれに独立した四方弁を連結し、かつ室外熱交換器と膨張弁と室内熱交換器とをそれぞれ２つずつ併設し、前記２つの四方弁毎に前記室外熱交換器と膨張弁と室内熱交換器とを順次連結して２つの冷凍サイクルを構築し、前記膨張弁と室内熱交換器間の冷凍サイクル毎の配管を流れる冷媒を熱交換するための２重管熱交換器を備えたことを特徴とする空気調和機。
【請求項２】
２つの冷凍サイクル毎の室外熱交換器は、上下に重ね合わせて配置され、上側に配置した室外熱交換器を先に除霜運転し、次いで下側に配置した室外熱交換器を除霜運転することを特徴とする請求項１記載の空気調和機。
【請求項３】
共に暖房運転と除霜運転が可能な２つの冷凍サイクルのうち、除霜時にいずれか一方の冷凍サイクルを暖房運転しつつ、他方の四方弁を切換えて他方の冷凍サイクルを所定時間だけ除霜運転し、所定時間経過後、２つの四方弁を切換えて他方の冷凍サイクルを暖房運転しつつ、一方の冷凍サイクルを所定時間だけ除霜運転するようにしたことを特徴とする請求項１又は２記載の空気調和機。
【請求項４】
一方の冷凍サイクルを暖房運転し、他方の冷凍サイクルを除霜運転しているときの圧縮機の回転数は、２つの冷凍サイクルが共に通常の暖房運転時の回転数の高低に拘わらず、除霜機能が十分機能するような除霜運転用に設定し、除霜運転から通常の暖房運転に切換るときの準備期間の圧縮機の回転数は、前記除霜運転用回転数より低く設定したことを特徴とする請求項３記載の空気調和機。
【発明の詳細な説明】
【技術分野】
【０００１】
本発明は、暖房運転の快適さを失うことなく除霜運転を可能にした空気調和機に関するものである。
【背景技術】
【０００２】
ヒートポンプを用いた空気調和機において、暖房運転をすると、室外熱交換器に霜が付き、除霜運転が必要となる。除霜運転には、リバース除霜が最も有効であるが、除霜運転中は、暖房運転ができない。
そこで、暖房運転を継続しながら除霜する方法として図４及び図５に示すようなホットガスバイパスにより除霜する方法が知られている（特許文献１）。
図５において、暖房運転時、圧縮機１から吐出された高温のガス冷媒は、実線矢印で示すように、吐出管９と、四方弁２を経て室内熱交換器３に入り、ここで室内空気を加熱することによって凝縮液化する。この液冷媒は、電子膨張弁５で絞られることによって断熱膨張した後、室外熱交換器４に入り、室外熱交換器４の各サーキット４ａ、４ｂを流過する過程で外気から吸熱することによって蒸発気化する。そして、このガス冷媒は、四方弁２を経て圧縮機１に入る。
【０００３】
図４（ａ）に示すように、暖房運転を継続して室外熱交換器４の表面に付着した霜７が成長するに従って除霜センサで検出される室外熱交換器４の温度は次第に低下し、温度がＴ１に達すると、図４（ｃ）に示すように、電磁開閉弁８が開放して暖房運転を継続しながら除霜運転が開始され、圧縮機１から吐出されたホットガスは、ほとんどホットガスバイパス管６を経て室外熱交換器４側に流入し、霜７を溶解する。
【０００４】
除霜が進み、室外熱交換器４の温度がＴ３に到達すると、電磁開閉弁８が閉じて暖房運転だけの運転となる。
【先行技術文献】
【特許文献】
【０００５】
【特許文献１】特開平７−１２４３７号公報。
【発明の概要】
【発明が解決しようとする課題】
【０００６】
特許文献１に記載のホットガスバイパス方法は、暖房運転を継続しながら除霜運転を行うことが可能となるため暖房運転の快適性を維持できる。しかしながら暖房運転を継続しているため、室外熱交換器４に流れる冷媒は、ホットガスの高温のガス冷媒と暖房運転の低温の２相冷媒とが混ざり、温度が下がる。そのため、除霜能力が落ち、除霜時間が長くかかったり、除霜が完了しない可能性があるいう問題点を有していた。
本発明は、暖房運転を継続して暖房効果の快適性を保持しつつ、除霜能力も損なわないようにした空気調和機を提供することを目的とするものである。
【課題を解決するための手段】
【０００７】
本発明の空気調和機は、圧縮機１０の吐出管１３を２つに分岐してそれぞれに独立した四方弁１１を連結し、かつ室外熱交換器１４と膨張弁１６と室内熱交換器１５とをそれぞれ２つずつ併設し、前記２つの四方弁１１毎に前記室外熱交換器１４と膨張弁１６と室内熱交換器１５とを順次連結して２つの冷凍サイクルを構築し、前記膨張弁１６と室内熱交換器１５間の冷凍サイクル毎の配管に流れる冷媒を熱交換する２重管熱交換器１７を備え、
除霜運転時の室外熱交換器１４から室内熱交換器１５への低温の２相冷媒がそのまま室内熱交換器１５へ送られて暖房運転に悪影響を与えるのを防止している。
前記２つの冷凍サイクル毎の室外熱交換器１４は、上下に重ね合わせて配置され、上側に配置された室外熱交換器１４ａを先に除霜することにより、結氷していた霜が水となって下側に配置された室外熱交換器１４ｂ側に滴り落ち、除霜効率の向上を図る。
【０００８】
共に暖房運転と除霜運転が可能な２つの冷凍サイクルのうち、除霜時にいずれか一方の冷凍サイクルを暖房運転しつつ、他方の四方弁を切換えて他方の冷凍サイクルを所定時間だけ除霜運転し、所定時間経過後、２つの四方弁を切換えて他方の冷凍サイクルを暖房運転しつつ、一方の冷凍サイクルを所定時間だけ除霜運転するようにしたことを特徴とする。
【０００９】
一方の冷凍サイクルを暖房運転し、他方の冷凍サイクルを除霜運転しているときの圧縮機の回転数は、２つの冷凍サイクルが共に通常の暖房運転時の回転数の高低に拘わらず、除霜機能が十分機能するような除霜運転用に設定し、除霜運転から通常の暖房運転に切換るときの準備期間の圧縮機の回転数は、前記除霜運転用回転数より低く設定したことを特徴とする。
【発明の効果】
【００１０】
本発明に係る空気調和機によれば、圧縮機の吐出管を２つに分岐してそれぞれに独立した四方弁を連結し、かつ室外熱交換器と膨張弁と室内熱交換器とをそれぞれ２つずつ併設し、前記２つの四方弁毎に前記室外熱交換器と膨張弁と室内熱交換器とを順次連結して２つの冷凍サイクルを構築し、前記膨張弁と室内熱交換器間の冷凍サイクル毎の配管を流れる冷媒を熱交換するための２重管熱交換器を備えたので、暖房運転を継続して暖房効果の快適性を保持しつつ、除霜能力も損なわないようにした空気調和機を提供することができる。また、室内熱交換器での暖房運転に悪影響を与えるのを防止することができる。
【００１１】
また、本発明に係る空気調和機によれば、２つの冷凍サイクル毎の室外熱交換器は、上下に重ね合わせて配置され、上側に配置した室外熱交換器を先に除霜運転し、次いで下側に配置した室外熱交換器を除霜運転することにより、結氷していた霜が水となって下側の室外熱交換器に滴り落ち、除霜効率の向上を図ることができる。
【００１２】
また、本発明に係る空気調和機によれば、共に暖房運転と除霜運転が可能な２つの冷凍サイクルのうち、除霜時にいずれか一方の冷凍サイクルを暖房運転しつつ、他方の四方弁を切換えて他方の冷凍サイクルを所定時間だけ除霜運転し、所定時間経過後、２つの四方弁を切換えて他方の冷凍サイクルを暖房運転しつつ、一方の冷凍サイクルを所定時間だけ除霜運転するようにしたので、一方の冷凍サイクルを暖房運転しながら、他方の冷凍サイクルを除霜運転とすることにより、暖房運転の快適さを失うことなく除霜運転が可能である。
【００１３】
また、本発明に係る空気調和機によれば、一方の冷凍サイクルを暖房運転し、他方の冷凍サイクルを除霜運転しているときの圧縮機の回転数は、２つの冷凍サイクルが共に通常の暖房運転時の回転数の高低に拘わらず、除霜機能が十分機能するような除霜運転用に設定し、除霜運転から通常の暖房運転に切換るときの準備期間の圧縮機の回転数は、前記除霜運転用回転数より低く設定したので、準備期間での四方弁の切換えが円滑に行われ、また、１台の圧縮機を用いて、２つの冷凍サイクルの一方を除霜運転し、他方を暖房運転するときの切換え準備、又は、一方を暖房運転し、他方を除霜運転するときの切換え準備、２つの冷凍サイクルを共に暖房運転するときの切換え準備が円滑に行われる。
【図面の簡単な説明】
【００１４】
【図１】本発明による空気調和機の実施例１を示す冷媒回路図である。
【図２】本発明による空気調和機を制御する制御装置のブロック図である。
【図３】本発明による空気調和機の実施例１の動作を示すタイムチャートである。
【図４】図５に示す従来の空気調和機の冷媒回路図の動作を示すタイムチャートである。
【図５】従来の空気調和機の冷媒回路図である。
【発明を実施するための形態】
【００１５】
本発明は、圧縮機１０の吐出管１３を２つに分岐してそれぞれに独立した四方弁１１を連結し、かつ室外熱交換器１４と膨張弁１６と室内熱交換器１５とをそれぞれ２つずつ併設し、前記２つの四方弁１１毎に前記室外熱交換器１４と膨張弁１６と室内熱交換器１５とを順次連結して２つの冷凍サイクルを構築し、前記膨張弁１６と室内熱交換器１５間の冷凍サイクル毎の配管を流れる冷媒を熱交換するための２重管熱交換器１７を備えている。
２つの冷凍サイクル毎の室外熱交換器１４は、上下に重ね合わせて配置することが好ましく、上側の室外熱交換器１４を先に除霜することにより、結氷していた霜が水となって下側の室外熱交換器１４に滴り落ち、除霜効率の向上を図ることができる。
【００１６】
以上のように、本発明は、２つの冷凍サイクル１２ａ、１２ｂを構築した空気調和機を用いることにより、共に暖房運転可能な２つの冷凍サイクル１２ａ、１２ｂのうち、除霜時に、例えば、一方の冷凍サイクル１２ａを暖房運転しつつ、他方の四方弁１１ｂを切換えて他方の冷凍サイクル１２ｂを所定時間だけ除霜運転し、所定時間経過後、２つの四方弁１１ａ、１１ｂを切換えて他方の冷凍サイクル１２ｂを暖房運転しつつ、一方の冷凍サイクル１２ａを所定時間だけ除霜運転する。
【００１７】
一方の冷凍サイクル１２ａを暖房運転し、他方の冷凍サイクル１２ｂを除霜運転しているときの圧縮機回転数は、２つの冷凍サイクル１２ａ、１２ｂが共に通常の暖房運転をしているときの回転数に拘わらず、除霜運転用として機能するように設定した回転数とし、除霜運転から通常の暖房運転に切換るときの準備期間の圧縮機回転数は、前記除霜用回転数より十分に低い速度に設定することにより、準備期間での四方弁１１ａ、１１ｂの切換えが円滑に行われ、暖房運転、除霜運転、暖房運転と除霜運転の切換え準備が円滑になる。
【実施例１】
【００１８】
本発明による空気調和機の実施例１を図１に基づき説明する。
１０は、圧縮機で、この圧縮機１０の吐出管１３には、四方弁１１が連結され、この四方弁１１から室外熱交換器１４と、膨張弁１６と、２重管熱交換器１７と、室内熱交換器１５を経て前記四方弁１１に戻るように連結されて冷凍サイクル１２が構築され、各冷凍サイクルを暖房運転時は実線矢印、除霜（冷房）運転時は点線矢印方向に冷媒を循環させている。
前記吐出管１３は、第１の吐出管１３ａと第２の吐出管１３ｂとの２本に分岐されており、これらの第１の吐出管１３ａと第２の吐出管１３ｂのそれぞれに独立した第１の四方弁１１ａと第２の四方弁１１ｂが連結されている。また、前記室外熱交換器１４、膨張弁１６、熱交換器として働く２重管１７、室内熱交換器１５も、それぞれ第１の室外熱交換器１４ａと第２の室外熱交換器１４ｂ、第１の膨張弁１６ａと第２の膨張弁１６ｂ、第１の配管１７ａと第２の配管１７ｂ、第１の室内熱交換器１５ａと第２の室内熱交換器１５ｂが２台ずつ併設されている。
これらは、圧縮機１０から第１の吐出管１３ａ、第１の四方弁１１ａ、第１の室外熱交換器１４ａ、第１の膨張弁１６ａ、第１の配管１７ａ、第１の室内熱交換器１５ａ、第１の四方弁１１ａを経て圧縮機１０に戻る第１の冷凍サイクル１２ａと、圧縮機１０から第２の吐出管１３ｂ、第２の四方弁１１ｂ、第２の室外熱交換器１４ｂ、第２の膨張弁１６ｂ、第２の配管１７ｂ、第２の室内熱交換器１５ｂ、第２の四方弁１１ｂを経て圧縮機１０に戻る第２の冷凍サイクル１２ｂとを構築している。
【００１９】
前記膨張弁１６と室内熱交換器１５の間の２重管熱交換器１７は、前記第１の配管１７ａと前記第２の配管１７ｂに流れる冷媒を熱交換し、除霜運転されている冷凍サイクルの室外熱交換器１４から室内熱交換器１５へ低圧低温の液（または２相状態）冷媒が、そのまま室内熱交換器１５へ送られて室内熱交換器１５で熱交換され冷気を吹き出すことで暖房運転に悪影響を与えるのを防止するため、室内熱交換器１５に流す冷媒を低温低圧のガス冷媒にするために設けられているものであり、低温低圧のガス冷媒は熱交換できないため、室内熱交換器を通過するだけになる。
前記第１の室外熱交換器１４ａと第２の室外熱交換器１４ｂは、第１の室外熱交換器１４ａを上側で第２の室外熱交換器１４ｂを下側に上下に重ねて配置し、上側の第１の室外熱交換器１４ａ側を先に除霜することにより、結氷していた霜が水となって下側の第２の第２の室外熱交換器１４ｂ側に滴り落ち、除霜効率の向上を図ることができる。
なお、２つの第１の室外熱交換器１４ａと第２の室外熱交換器１４ｂは、必ずしも上下に重ね合わせて配置する必要がなく、前後または左右に配置してもよい。
また、本発明では、室外熱交換器１４を第１の室外熱交換器１４ａと第２の室外熱交換器１４ｂと２つの熱交換器で構成しているが、一つの熱交換器のパスの接続により２つの熱交換器としてもよい。
また、室内熱交換器１５も同様に第１の室内熱交換器１５ａと第２の室内熱交換器１５ｂを上下、前後または左右に配置してもよく、一つの室内熱交換器のパスを接続により２つの室内熱交換器としてもよい。
【００２０】
前記室外熱交換器１４における第１の室外熱交換器１４ａと第２の室外熱交換器１４ｂの冷房サイクル出口側には、除霜開始と終了の判定用の室外熱交サーミスタ１８としてそれぞれ第１の室外熱交サーミスタ１８ａと第２の室外熱交サーミスタ１８ｂが取り付けられている。
また、前記室内熱交換器１５における第１の室内熱交換器１５ａと第２の室内熱交換器１５ｂの冷房サイクル入口側には、室内熱交サーミスタ１９としてそれぞれ第１の室内熱交サーミスタ１９ａと第２の室内熱交サーミスタ１９ｂが取り付けられている。２０は、室温サーミスタである。
【００２１】
図２は、空気調和機の除霜方法の運転を制御する制御装置２５を示すもので、ＣＰＵからなり、各種演算や制御を行う制御回路２１には、前記室外熱交サーミスタ１８の第１の室外熱交サーミスタ１８ａと第２の室外熱交サーミスタ１８ｂ、前記室内熱交サーミスタ１９の第１の室内熱交サーミスタ１９ａと第２の室内熱交サーミスタ１９ｂ、前記室温サーミスタ２０が接続され、メモリとしてＲＡＭ２３とＲＯＭ２４が接続され、出力側に前記圧縮機１０と、四方弁１１の第１の四方弁１１ａと第２の四方弁１１ｂ、膨張弁１６の第１の膨張弁１６ａと第２の膨張弁１６ｂが接続されている。
【００２２】
以上のように構成された空気調和機の除霜方法の動作を図３に基づき説明する。
（ａ）において、第１の冷凍サイクル１２ａと第２の冷凍サイクル１２ｂの２つセットの冷凍サイクルは、暖房運転をしていて、時刻ｔ２〜時刻ｔ７の間で除霜運転をする例を説明する。
（ｂ）（ｃ）において、第１の冷凍サイクル１２ａと第２の冷凍サイクル１２ｂは、時刻ｔ０には共に通常暖房運転をしているものとする。この時点では、（ｆ）（ｇ）のように、第１の四方弁１１ａと第２の四方弁１１ｂは、共に実線方向に切換っており（ＯＮと表示）、冷媒は、実線矢印方向に循環して暖房運転をしている。また、（ｅ）に示すように、圧縮機１０は、室外温度や室内温度、設定温度等に基づいて決定される通常速度（２０〜１２０ｒｐｓ）の回転数で通常制御運転し、本実施例では回転数が８０〜１２０ｒｐｓで暖房運転しているものとする。（ｈ）（ｉ）に示すように、第１の膨張弁１６ａと第２の膨張弁１６ｂは、通常制御パルス数範囲で運転している。
【００２３】
時刻ｔ１に至り、第１の室外熱交換器１４ａ及び／又は第２の室外熱交換器１４ｂに霜がつき、室外熱交サーミスタ１８の第１の室外熱交サーミスタ１８ａ又は第２の室外熱交サーミスタ１８ｂから除霜開始を要求する温度低下情報が制御回路２１に送られると、まず先に、除霜運転用として第１の冷凍サイクル１２ａが選択される。すると、圧縮機１０は、通常の暖房運転の回転数の高低に拘わらず、切換え準備期間の回転数を低い速度（２０〜３０ｒｐｓ）の制御運転として四方弁１１の切り替えを円滑に行い、時刻ｔ２に第１の四方弁１１ａが除霜（冷房）運転の点線側に切換り（ＯＦＦと表示）、圧縮機１０から吐出された高温のガス冷媒は、第１の室外熱交換器１４ａに送られて第１の冷凍サイクル１２ａは、除霜運転になる。第２の冷凍サイクル１２ｂは、通常の暖房運転を継続する。
【００２４】
（ｅ）に示すように、除霜運転になると、圧縮機１０は、除霜機能が十分機能するような除霜運転用回転数（６０〜７０ｒｐｓ）の除霜時制御運転となり、（ｈ）（ｉ）に示すように、第１の膨張弁１６ａは、除霜運転用に必要な開度に開くための制御パルス（例えば２００〜上限パルス）に制御され、第２の膨張弁１６ｂは、室外温度や室内温度、設定温度に基づき決定された開度に開くための制御パルス（１００〜上限パルス）で通常制御で暖房運転している。第１の室外熱交換器１４ａを通過する高温ガス冷媒が室外熱交換器１４を暖めて霜を溶かし、その水滴が下側の第２の室外熱交換器１４ｂの霜も溶かす。第１の室外熱交換器１４ａを暖めた冷媒は、第１の膨張弁１６ａで絞られて低圧の２層液状態で第１の配管１７ａを流れるが、２重管熱交換器を通過することで、第２の冷凍サイクル１２ｂに流れる高温の液冷媒と熱交換され、低温低圧のガス状態となり、低温低圧のガスの状態で室内熱交換器１５の第１の室内熱交換器１５ａに送られ、低温低圧のガスは熱交換できないため、第１の室内熱交換器１５ａでの熱交換はほとんどされず、第１の室内熱交換器１５ａを通過する空調空気が冷やされないため、暖房運転中の第２の室内熱交換器１５ｂに影響を与えない。
【００２５】
第１の冷凍サイクル１２ａが除霜運転をしてから所定時間経過した時刻ｔ３に至り、第１の冷凍サイクル１２ａと第２の冷凍サイクル１２ｂのサイクル切換えが行われる。（ｄ）に示すように、この切換えは、第１の冷凍サイクル１２ａの第１の室外熱交換器１４ａに取り付けられた第１の室外熱交サーミスタ１８ａの検出温度で判定される。この切換えの信号が時刻ｔ３で制御回路２１に入力されると、（ｅ）に示すように、圧縮機１０は、通常の暖房運転の回転数の高低に拘わらず、切換え準備期間の回転数を低い速度（２０〜３０ｒｐｓ）の制御運転をして、時刻ｔ４に第１の四方弁１１ａが実線方向に切換り（ＯＮと表示）、第１の冷凍サイクル１２ａが通常暖房運転に戻る。第１の冷凍サイクル１２ａが通常暖房運転に戻った後、時刻ｔ５に第２の四方弁１１ｂが冷房運転の点線側に切換り（ＯＦＦと表示）、圧縮機１０から吐出された高温のガス冷媒は、第２の室外熱交換器１４ｂに送られて第２の冷凍サイクル１２ｂは、除霜運転になる。
【００２６】
（ｅ）に示すように、時刻ｔ５に第２の冷凍サイクル１２ｂが除霜運転になると、圧縮機１０は、前記除霜機能が十分機能するような除霜運転用回転数（６０〜７０ｒｐｓ）の除霜時制御運転となり、（ｈ）（ｉ）に示すように、第１の膨張弁１６ａは、室外温度や室内温度、設定温度に基づき決定された開度に開くための制御パルス（１００〜上限パルス）の通常制御となり、第２の膨張弁１６ｂは、除霜運転用に必要な開度に開くための制御パルス（例えば２００〜上限パルス）で制御される。第２の室外熱交換器１４ｂを通過する高温ガス冷媒が室外熱交換器１４を暖めて霜を溶かす。第２の室外熱交換器１４ｂを暖めた冷媒は、第２の膨張弁１６ｂで絞られて低圧の２層液状態で第２の配管１７ｂを流れるが、第１の配管１７ａと第２の配管１７ｂからなる２重管熱交換器１７を通過することで、第１の冷凍サイクル１２ａに流れる高温の液冷媒と熱交換され、低温低圧のガス状態となり、低温低圧のガス状態で室内熱交換器１５の第２の室内熱交換器１５ｂに送られ、低温低圧のガスは熱交換できないため、第２の室内熱交換器１５ｂでの熱交換はほとんどされず、第２の室内熱交換器１５ｂを通過する空調空気が冷やされないため、暖房運転中の第１の室内熱交換器１５ａに影響を与えない。
【００２７】
第２の冷凍サイクル１２ｂで除霜運転をしつつ第２の室外熱交換器１４ｂの出口側の温度が第２の室外熱交サーミスタ１８ｂで検出される。この検出温度が時刻ｔ６に予め設定された除霜終了の判定温度に達すると、（ｅ）に示すように、圧縮機１０は、通常の暖房運転の回転数に高低に拘わらず、切換え準備期間の回転数を低い速度（２０〜３０ｒｐｓ）の制御運転として四方弁１１の切り替えを円滑に行い、時刻ｔ７に第２の四方弁１１ｂが通常暖房運転の実線側に切換り（ＯＮと表示）、第２の冷凍サイクル１２ｂが通常暖房運転に戻る。
第１の冷凍サイクル１２ａと第１の冷凍サイクル１２ａが共に通常暖房運転に戻ると、（ｅ）に示すように、圧縮機１０は、室外温度や室内温度、設定温度等に基づいて決定される通常速度（２０〜１２０ｒｐｓ）の通常制御運転をし、（ｈ）（ｉ）に示すように、膨張弁１６の第１の膨張弁１６ａと第２の膨張弁１６ｂは、通常制御パルス数範囲で運転する。
【００２８】
以上のように、第１の冷凍サイクル１２ａと第２の冷凍サイクル１２ｂが共に暖房運転をしているときに、第１の室外熱交サーミスタ１８ａと第２の室外熱交サーミスタ１８ｂのいずれかからの温度データとＲＯＭ２４に記憶した除霜開始のデータとを比較し、除霜開始の指令が出ると、制御回路２１からまず、第１の冷凍サイクル１２ａが除霜運転に切換えられ、第２の冷凍サイクル１２ｂはそのまま通常暖房運転を継続する。
第１の冷凍サイクル１２ａの除霜により上昇した第１の室外熱交サーミスタ１８ａの温度データとＲＯＭ２４に記憶した除霜切換えのデータとを制御回路２１で比較し、除霜サイクル切換えの指令が出ると、制御回路２１からまず、第１の冷凍サイクル１２ａを通常暖房運転に戻し、次いで、第２の冷凍サイクル１２ｂを除霜運転に切換える。
第２の冷凍サイクル１２ｂの除霜により上昇した第１の室外熱交サーミスタ１８ａの温度データとＲＯＭ２４に記憶した除霜終了のデータとを制御回路２１で比較し、除霜終了の指令が出ると、制御回路２１で第２の冷凍サイクル１２ｂを通常暖房運転に戻す制御をし、第１の冷凍サイクル１２ａと第２の冷凍サイクル１２ｂは共に通常暖房運転になる。
【００２９】
前記実施例では、除霜運転を第１の冷凍サイクル１２ａと第２の冷凍サイクル１２ｂで１回ずつとしたが、除霜判定温度を細かく設定して２回以上交互に切換えるようにしてもよい。また、除霜運転を第１の冷凍サイクル１２ａと第２の冷凍サイクル１２ｂのいずれか１回で終了するようにしてもよい。
【００３０】
前記実施例では、冷凍サイクル１２は、第１の冷凍サイクル１２ａと第２の冷凍サイクル１２ｂの２つのサイクルとしたが、３つ以上の冷凍サイクルとして、少なくとも１つ以上の冷凍サイクルを除霜運転とし、残りを暖房運転とするように順次切り替えるようにしてもよい。
【００３１】
前記実施例では、一方の冷凍サイクル１２ａ又は１２ｂの暖房運転中に、他方の冷凍サイクル１２ｂ又は１２ａを除霜運転する場合について述べたが、一方の冷凍サイクル１２ａ又は１２ｂの暖房運転停止中に、他方の冷凍サイクル１２ｂ又は１２ａを除霜運転する場合とすることもできる。
【符号の説明】
【００３２】
１…圧縮機、２…四方弁、３…室内熱交換器、４…室外熱交換器、５…電子膨張弁、６…ホットガスバイパス管、７…霜、８…電磁開閉弁、９…吐出管、１０…圧縮機、１１…四方弁、１２…冷凍サイクル、１３…吐出管、１４…室外熱交換器、１５…室内熱交換器、１６…膨張弁、１７…２重管熱交換器、１８…室外熱交サーミスタ、１９…室内熱交サーミスタ、２０…室温サーミスタ、２１…制御回路、２２…入力回路、２３…ＲＡＭ、２４…ＲＯＭ、２５…制御装置。
【図１】
2014190641.tif 000003
【図２】
2014190641.tif 000004
【図３】
2014190641.tif 000005
【図４】
2014190641.tif 000006
【図５】
2014190641.tif 000007